(57)【要約】【課題】操作部材の周囲に間接照明により照光される被照光領域が形成され、かつ、操作部材がスライド操作された場合であってもその被照光領域の形状が維持される照光式操作装置を提供すること。【解決手段】照光式操作装置であって、回路基板（１４）と、光源（１５）と、スライド部材（３０）と、操作部材（７０）と、ケース（１０）と、導光手段（５０）とを備え、導光手段（５０）は、スライド部材（３０）及び操作部材（７０）と一体にスライド方向にスライド可能であり、操作部材（７０）は、重なり部（７３）を含んで導光手段（５０）を覆う形状を有し、ケース（１０）は、対向面（１２ｃ）を有し、対向面（１２ｃ）は、隙間（Ｓ）を通った光により照光される被照光領域の形状を操作部材（７０）が中立状態及びスライド状態のいずれにおいてもスライド方向の両側において同一の形状に維持することが可能な形状を有すること。【選択図】図３
2014123511.tif 000002
【特許請求の範囲】
【請求項１】
照光式操作装置であって、
回路基板と、
前記回路基板に実装された光源と、
前記回路基板に対して当該回路基板と平行なスライド方向にスライドすることが可能なスライド部材と、
前記スライド部材と一体に前記スライド方向にスライドするようにスライド操作を受けるとともに遮光性を有する操作部材と、
前記操作部材との間に前記スライド方向と直交する方向の隙間を形成しながら前記光源を覆う形状を有するとともに遮光性を有するケースと、
前記光源から出射される光を前記隙間へ導く導光手段とを備え、
前記導光手段は、前記スライド部材に保持されており当該スライド部材及び前記操作部材と一体に前記スライド方向にスライド可能であり、
前記操作部材は、前記スライド操作を受けていない中立状態及び前記スライド操作を受けたスライド状態のいずれにおいても前記回路基板と垂直な方向について前記ケースと重なる重なり部を含んで前記導光手段に対して前記回路基板側とは反対側から当該導光手段を覆う形状を有し、
前記ケースは、前記隙間を介して前記重なり部と対向する対向面を有し、この対向面は、当該対向面に形成される領域であって前記導光手段から出射されて前記隙間を通った光により照光される被照光領域の形状を前記操作部材が前記中立状態及び前記スライド状態のいずれにおいても前記スライド方向の両側において同一の形状に維持することが可能な形状を有する照光式操作装置。
【請求項２】
請求項１に記載の照光式操作装置において、
前記導光手段は、前記光源から出射された光を前記操作部材側へ導く本体部と、この本体部から前記隙間に向かって延びる形状を有し前記本体部から出射された光を前記重なり部と前記対向面との間に導くガイド部とを有する照光式操作装置。
【請求項３】
請求項２に記載の照光式操作装置において、
前記重なり部は、前記ガイド部を前記スライド方向の外側から被覆する被覆部を有する照光式操作装置。
【請求項４】
請求項１ないし３のいずれかに記載の照光式操作装置において、
前記導光手段は、前記スライド部材に対して固定される導光部材と、この導光部材とは別の部材で構成されかつ前記スライド部材に保持されており前記操作部材を取り付けるための取付部材とを有し、
前記導光部材は、前記光源から出射された光を受光する受光部と、この受光部で受けた光を前記取付部材へ向けて出射する出射部とを有する照光式操作装置。
【請求項５】
請求項１ないし４のいずれかに記載の照光式操作装置において、
前記光源は、前記スライド方向と直交する方向について前記操作部材の中央部と重なる位置に配置されており、
前記導光手段は、前記光源から出射された光を受光する受光面を有するとともにこの受光面で受けた光を前記隙間に向かって導く形状を有し、
前記受光面は、前記操作部材が前記中立状態及び前記スライド状態のいずれにおいても前記光源と対向しながら当該光源から出射される光を受光可能な形状を有する照光式操作装置。
【請求項６】
請求項５に記載の照光式操作装置において、
前記光源は、前記操作部材の前記スライド方向の中心を通るとともに前記スライド方向と直交する方向の軸に対して当該スライド方向の一方側に配置された第一光源と、前記軸に対して前記スライド方向の他方側に配置されており前記第一光源と同じ光量の光を出射する第二光源とを有し、
前記受光面は、前記操作部材が前記中立状態のときに前記第一光源及び前記第二光源から出射されるそれぞれの光を均一に受光し、かつ、前記操作部材が前記スライド方向の一方側及び他方側のいずれにスライド操作された場合においても前記第一光源及び前記第二光源から受光するそれぞれの光の光量の合計が等しくなる形状を有する照光式操作装置。
【発明の詳細な説明】
【技術分野】
【０００１】
本発明は、車両等に備えられた電子機器の操作に使用するための照光式操作装置に関するものである。
【背景技術】
【０００２】
従来、様々な電子機器に搭載される照光式の操作装置として、操作者に操作される操作部材が直接照光されるのではなく、この操作部材の周囲が照光されるものが知られている。例えば、特許文献１には、遮光性を有する操作部材と、この操作部材との間に隙間を形成しながら当該操作部材を囲むケースと、光源と、この光源から出射される光を前記隙間に導く導光部材とを備える照光式操作装置が開示されている。この照光式操作装置では、前記導光部材から出射された光が前記隙間から漏れるようにして前記ケースの外側に導かれる。
【先行技術文献】
【特許文献】
【０００３】
【特許文献１】特開２００８−３００２５３号公報
【発明の概要】
【発明が解決しようとする課題】
【０００４】
上記特許文献１に記載の照光式操作装置が、前記ケースの上面と平行な方向であるスライド方向にスライド操作される操作部材を有するものに適用された場合、前記隙間、すなわち、前記導光部材から出射された光により照光される被照光領域の形状が変化する。具体的には、前記操作部材が前記スライド方向における一方側にスライド操作されると、前記隙間のうち前記一方側の領域が狭くなり、逆にその反対側の領域が広くなる。このように、前記操作部材のスライド操作に伴って前記被照光領域の形状が変化するので、前記操作部材をスライド操作したときの外観が損なわれるという問題がある。
【０００５】
また、デザイン上、前記操作部材の周囲は間接照明により照光されることが望まれている。
【０００６】
本発明の目的は、操作部材の周囲に間接照明により照光される被照光領域が形成され、かつ、操作部材がスライド操作された場合であってもその被照光領域の形状が維持される照光式操作装置を提供することである。
【課題を解決するための手段】
【０００７】
前記課題を解決するために、本発明は、照光式操作装置であって、回路基板と、前記回路基板に実装された光源と、前記回路基板に対して当該回路基板と平行なスライド方向にスライドすることが可能なスライド部材と、前記スライド部材と一体に前記スライド方向にスライドするようにスライド操作を受けるとともに遮光性を有する操作部材と、前記操作部材との間に前記スライド方向と直交する方向の隙間を形成しながら前記光源を覆う形状を有するとともに遮光性を有するケースと、前記光源から出射される光を前記隙間へ導く導光手段とを備え、前記導光手段は、前記スライド部材に保持されており当該スライド部材及び前記操作部材と一体に前記スライド方向にスライド可能であり、前記操作部材は、前記スライド操作を受けていない中立状態及び前記スライド操作を受けたスライド状態のいずれにおいても前記回路基板と垂直な方向について前記ケースと重なる重なり部を含んで前記導光手段に対して前記回路基板側とは反対側から当該導光手段を覆う形状を有し、前記ケースは、前記隙間を介して前記重なり部と対向する対向面を有し、この対向面は、当該対向面に形成される領域であって前記導光手段から出射されて前記隙間を通った光により照光される被照光領域の形状を前記操作部材が前記中立状態及び前記スライド状態のいずれにおいても前記スライド方向の両側において同一の形状に維持することが可能な形状を有する照光式操作装置を提供する。
【０００８】
本発明によれば、前記操作部材及び前記ケースが遮光性を有するとともに、前記操作部材は、前記重なり部を含んで前記導光手段を覆う形状を有するので、前記光源から出射された光は前記隙間を通じて前記ケースの外側に漏れるように出射され、これにより、前記操作部材の周囲に間接照明により照光された領域である前記被照光領域が形成される。また、前記導光手段は前記スライド部材と一体でスライドし、かつ、前記対向面は、前記被照光領域の形状を前記操作部材が前記中立状態及び前記スライド状態のいずれにおいても前記スライド方向の両側において同一の形状に維持することが可能な形状を有するので、前記操作部材がスライド操作された場合であっても、前記被照光領域の形状が維持される。
【０００９】
この場合において、前記導光手段は、前記光源から出射された光を前記操作部材側へ導く本体部と、この本体部から前記隙間に向かって延びる形状を有し前記本体部から出射された光を前記重なり部と前記対向面との間に導くガイド部とを有することが好ましい。
【００１０】
このようにすれば、前記導光手段から出射された光が前記隙間に効率よく導かれるので、前記被照光領域の輝度が向上される。
【００１１】
さらにこの場合において、前記重なり部は、前記ガイド部を前記スライド方向の外側から被覆する被覆部を有することが好ましい。
【００１２】
このようにすれば、前記被照光領域の輝度が向上されつつ、前記隙間から前記ガイド部における外側の部位、すなわち、前記被照光領域よりも輝度の高い部位が操作者に直接視認されるのが防止される。
【００１３】
また、本発明において、前記導光手段は、前記スライド部材に対して固定される導光部材と、この導光部材とは別の部材で構成されかつ前記スライド部材に保持されており前記操作部材を取り付けるための取付部材とを有し、前記導光部材は、前記光源から出射された光を受光する受光部と、この受光部で受けた光を前記取付部材へ向けて出射する出射部とを有することが好ましい。
【００１４】
このようにすれば、前記導光手段に入射する前記光源からの光量が安定する。例えば、前記取付部材に取り付けられている操作部材が前記スライド部材に対してがたつくような操作を受けたとしても、この取付部材と前記導光部材とは別部材で構成されていることから前記操作部材のがたつきが前記導光部材に伝達されないので、前記受光部の前記光源に対する位置が安定的に保持される。
【００１５】
また、本発明において、前記光源は、前記スライド方向と直交する方向について前記操作部材の中央部と重なる位置に配置されており、前記導光手段は、前記光源から出射された光を受光する受光面を有するとともにこの受光面で受けた光を前記隙間に向かって導く形状を有し、前記受光面は、前記操作部材が前記中立状態及び前記スライド状態のいずれにおいても前記光源と対向しながら当該光源から出射される光を受光可能な形状を有することが好ましい。
【００１６】
このようにすれば、前記操作部材が前記中立状態及び前記スライド状態のいずれの場合においても前記受光面が受光する光源からの光量が確保され、しかも、前記光源は、前記スライド方向と直交する方向について前記操作部材の中央部と重なる位置に配置されるだけなので、少ない数の光源で前記被照光領域の輝度が確保される構造が構築される。
【００１７】
この場合において、前記光源は、前記操作部材の前記スライド方向の中心を通るとともに前記スライド方向と直交する方向の軸に対して当該スライド方向の一方側に配置された第一光源と、前記軸に対して前記スライド方向の他方側に配置されており前記第一光源と同じ光量の光を出射する第二光源とを有し、前記受光面は、前記操作部材が前記中立状態のときに前記第一光源及び前記第二光源から出射されるそれぞれの光を均一に受光し、かつ、前記操作部材が前記スライド方向の一方側及び他方側のいずれにスライド操作された場合においても前記第一光源及び前記第二光源から受光するそれぞれの光の光量の合計が等しくなる形状を有することが好ましい。
【００１８】
このようにすれば、二つの光源を用いるだけで、前記操作部材が前記中立状態及び前記スライド状態のいずれにおいても前記被照光領域の全域にわたって輝度ムラの発生が防止される。
【発明の効果】
【００１９】
以上のように、本発明によれば、操作部材の周囲に間接照明により照光される被照光領域が形成され、かつ、操作部材がスライド操作された場合であってもその被照光領域の形状が維持される照光式操作装置を提供することができる。
【図面の簡単な説明】
【００２０】
【図１】本発明の第一実施形態の照光式操作装置の分解斜視図である。
【図２】図１に示す照光式操作装置を図１とは異なる角度から見た状態の分解斜視図である。
【図３】図１に示す照光式操作装置の平面図である。
【図４】図３に示すＩＶ−ＩＶ線での断面図である。
【図５】図３に示す操作部材が左側へスライド操作された状態の平面図である。
【図６】図５に示すＶＩ−ＶＩ線での断面図である。
【図７】図１に示す操作装置の変形例を示す断面図である。
【図８】図１に示す操作装置の変形例を示す断面図である。
【図９】本発明の第二実施形態の操作装置の断面図である。
【発明を実施するための形態】
【００２１】
（第一実施形態）
本発明の第一実施形態の操作装置について、図１〜図８を参照しながら説明する。
【００２２】
図１〜図６に示されるように、本実施形態の操作装置は、ケース１０と、回路基板１４と、この回路基板に実装された光源１５、スライド検出素子１６及び回転検出素子１７と、ベース２０と、このベース２０に対して特定のスライド方向（図１の左右方向）へのスライドが可能となるように当該ベース２０に支持されるスライド部材３０と、光源１５から出射された光をケース１０の外側へ導く導光手段５０と、スライド部材３０と一体にスライド方向にスライドするようにスライド操作を受ける操作部材７０とを備えている。
【００２３】
ここで、以下の説明において、図１及び図４に示すように、前記スライド方向を左右方向とし、この左右方向と直交する方向のうち回路基板１４と操作部材７０とを結ぶ方向を上下方向とする。また、操作部材７０及びスライド部材３０がベース２０に対してスライド方向に変位していない状態を中立状態とし、両者がスライド方向に変位した状態をスライド状態とする。
【００２４】
図１〜図６に示されるように、ケース１０は、略矩形状のリアケース１１と、光源１５及びスライド部材３０を取り囲む形状のフロントケース１２とを有する。フロントケース１２は、遮光性を有する。フロントケース１２は、光源１５及びスライド部材３０の周囲を取り囲む略四角筒状の周壁１２ａと、この周壁１２ａの上端に接続された上壁１２ｂとを有する。上壁１２ｂは、操作部材７０との間に上下方向の隙間Ｓを形成しながらこの操作部材７０と上下方向に対向する対向面１２ｃを有する。図３〜図６に示されるように、この対向面１２ｃには、後述の被照光領域Ｒが形成される。なお、図４及び図６では、被照光領域Ｒは、便宜上、対向面１２ｃに施されたハッチングにより示されている。
【００２５】
回路基板１４は、略矩形状であり、リアケース１１上に固定される。光源１５は、回路基板１４の略中央に実装される。より具体的には、光源１５は、上下方向について操作部材７０の中央部と重なる位置に実装される。本実施形態では、光源１５は、第一光源１５ａと第二光源１５ｂとを有する。第一光源１５ａは、操作部材７０のスライド方向の中心を通るとともにスライド方向と直交する上下方向に延びる軸（後述の回転軸）に対してスライド方向の一方側（図３の左側）に配置されている。第二光源１５ｂは、前記軸に対してスライド方向の他方側（図３の右側）に配置されており、第一光源１５ａと同じ光量の光を出射する。スライド検出素子１６は、操作部材７０がスライド方向における特定のスライド操作位置までスライド操作されたことを検出するものであり、回路基板１４のうちスライド方向の両側部に実装されている。回転検出素子１７は、後述の回転部材４１の回転を検出するものであり、光源１５の近傍に実装されている。
【００２６】
ベース２０は、回路基板１４とともにリアケース１１に固定される。このベース２０は、ベース本体２１と、このベース本体２１に取り付けられる駆動部材２５とを有する。ベース本体２１は、その外形が回路基板１４のそれと略同じ形状の平板部２２と、この平板部２２の上面に設けられた駆動部材保持部２３及び案内レール２４とを有する。平板部２２は、スライド検出素子１６を当該平板部２２の上方に露出させるための穴２２ａと、回転検出素子１７を当該平板部２２の上方に露出させるための穴２２ｂとを有する。駆動部材保持部２３は、上下方向及び左右方向の双方に直交する方向の揺動軸を中心として駆動部材２５が揺動可能となるように当該駆動部材２５を保持する。案内レール２４は、左右方向に長い形状を有し、平板部２２に対してスライド部材３０がスライド方向へスライドするように案内する。駆動部材２５は、スライド部材３０によってスライド方向に押圧されたときに前記揺動軸を中心として揺動することでスライド検出素子１６を押圧する。
【００２７】
スライド部材３０は、案内レール２４の案内を受けながらスライド方向へスライドするスライダー３１と、このスライダー３１に対して相対回転可能に保持された回転部材４１とを有する。
【００２８】
スライダー３１は、回転部材４１を回転可能に支持する支持部３２ａを含んだスライダー本体３２と、スライダー本体３２の下面に設けられており案内レール２４の案内を受ける被案内部３３と、導光手段５０を保持する保持部３４と、導光手段５０のスライダー本体３２への組み付けを案内する案内部３５と、回転部材４１の回転に伴って操作者にクリック感を付与するためのクリック部材を収容するクリック部材収容部３６と、駆動部材２５を押圧する駆動部材押圧部３７とを有する。スライダー本体３２は、回転検出素子１７を当該スライダー本体３２の上方に露出させるための穴３２ｂを有する。支持部３２ａは、スライダー本体３２における筒状の部位の上端に形成されている。被案内部３３は、スライド方向に長く、かつ、案内レール２４に嵌合可能な形状を有する。保持部３４は、スライダー本体３２の上端から下方に向かって切り欠かれた形状を有する。案内部３５は、スライダー本体３２から下方に向かって延びる形状を有し、その下端で導光手段５０と係合する。つまり、この案内部３５は、スライダー本体３２に対して組み付けられた状態における導光手段５０の上方への離脱を防止する機能を有する。クリック部材収容部３６には、クリック部材、すなわち、クリックピース３８と、このクリックピース３８を回転部材４１側に付勢する付勢部材３９とが収容される。駆動部材押圧部３７は、スライダー３１がスライド方向にスライドしたときに駆動部材２５を押圧する。これにより、平板部２２の穴２２ａを通じてスライダー３１側に露出したスライド検出素子１６が押圧される。
【００２９】
回転部材４１は、特定の回転軸回りに回転可能に支持される。回転部材４１は、回転検出素子１７を駆動する駆動部４２と、当該回転部材４１の回転に伴って付勢部材３９の付勢力に抗しながらクリックピース３８を上下動させる節度山部４３と、導光手段５０を係止する係止部４４とを有する。駆動部４２は、平板部２２の穴２２ｂ及びスライダー本体３２の穴３２ｂを通じて回転部材４１側に露出した回転検出素子１７を回転方向に押圧する。節度山部４３は、前記回転軸回りの周方向に全域にわたって凹凸が交互に配置された形状を有する。
【００３０】
導光手段５０は、光源１５から出射された光を操作部材７０とフロントケース１２との隙間Ｓに導くものであり、導光性を有する透明な材料からなる。本実施形態の導光手段５０は、スライダー３１に対して固定される導光部材５１と、導光部材５１とは別の部材で構成されており操作部材７０を取り付けるための取付部材６１とを有する。
【００３１】
導光部材５１は、光源１５から出射された光を操作部材７０側へ導く本体部を構成する。この導光部材５１は、前記回転軸と同じ中心軸を有する上下方向に長い円筒状の第一導光部５２と、第一導光部５２の上端につながった第二導光部５３と、案内部３５の下端に係合する突出部５４と、保持部３４に保持される被保持部５５とを有する。第一導光部５２は、その下端に光源１５から出射された光を受光する受光部５２ａを有する。図４及び図６に示すように、受光部５２ａは、光源１５と対向しており、スライダー３１がスライド方向に変位していない状態（図４の状態）及びスライド方向に変位している状態（図６の状態）のいずれにおいても光源１５から出射された光を受光する受光面を含む。この受光面は、操作部材７０が前記中立状態のときに第一光源１５ａ及び第二光源１５ｂから出射されるそれぞれの光を均一に受光し、かつ、操作部材７０がスライド方向の一方側及び他方側のいずれにスライド操作された場合においても第一光源１５ａ及び第二光源１５ｂから受光するそれぞれの光の光量の合計が等しくなる形状を有する。本実施形態では、この受光面は、回路基板１４と平行な面に形成されている。第二導光部５３は、第一導光部５２の上端から上方に向かうにしたがって次第にその径が大きくなる略すり鉢状を呈する。この第二導光部５３は、受光部５２ａから受光した光を取付部材６１へ向けて出射する出射部５３ａを有する。本実施形態の出射部５３ａは、第二導光部５３の上端に形成されており径方向の外側を向く外周面で構成される。突出部５４は、第一導光部５２の下部に形成されており当該第一導光部５２から外側に向かって突出する形状を有する。被保持部５５は、第二導光部５３から径方向の外側に向かって突出しており、保持部３４に嵌合可能な形状を有する。
【００３２】
取付部材６１は、回転部材４１に取り付けられる下筒状部６２と、この下筒状部６２の上側に形成された上筒状部６３と、両筒状部の境界に形成されたガイド部６４とを有する。下筒状部６２は、係止部４４に係止される被係止部６２ａを有する。下筒状部６２及び上筒状部６３は、前記回転軸と同じ中心軸を有し、かつ、互いに同じ径を有する。ガイド部６４は、両筒状部の境界の外周面から外側へ、より具体的には、前記隙間Ｓへ向かって延びる形状を有する。このガイド部６４は、前記回転軸を中心とする円環状を呈する。このガイド部６４により、第二導光部５３から出射された光が前記隙間Ｓへ導かれる。
【００３３】
操作部材７０は、スライド部材３０と一体にスライド方向にスライドするようにスライド操作を受ける。本実施形態では、操作部材７０は、回転部材４１と一体に前記回転軸回りに回転可能となっている。この操作部材７０は、遮光性を有する。例えば、透明の樹脂からなる成形品の表面に遮光塗装が施されることにより、遮光性を有する操作部材７０が得られる。
【００３４】
操作部材７０は、操作者により把持される円筒状の被把持部７１と、この被把持部７１の上端を塞ぐ天壁７２と、被把持部７１の下端から径方向の外側に向かって延びる重なり部７３とを有する。被把持部７１は、前記回転軸と同じ中心軸を有し、取付部材６１の上筒状部６３に外嵌される径を有する。重なり部７３は、前記回転軸を中心とする円環状を呈し、フロントケース１２の対向面１２ｃとの間に上下方向の隙間Ｓを形成した状態で当該対向面１２ｃと上下方向に重なる。より具体的には、図４及び図６に示されるように、重なり部７３は、操作部材７０が前記中立状態及び前記スライド状態のいずれにおいても隙間Ｓを介して対向面１２ｃと重なる。この重なり部７３は、ガイド部６４を径方向の外側から被覆する被覆部７３ａを有する。
【００３５】
ここで、図３及び図５に示されるように、対向面１２ｃには、導光手段５０から出射されて前記隙間Ｓを通った光により照光される被照光領域Ｒが形成される。そして、この対向面１２ｃは、被照光領域Ｒの形状を操作部材７０が前記中立状態及び前記スライド状態のいずれにおいてもスライド方向の両側において同一の形状に維持することが可能な形状を有する。本実施形態では、この対向面１２ｃは、操作部材７０の周囲の全域にわたって前記回転軸と直交する面と平行となるように平坦に形成されている。具体的には、対向面１２ｃは、重なり部７３の外形よりも一回り大きな径を有する円環状に形成されている。このように、ガイド部６４、重なり部７３及び対向面１２ｃのすべてが円環状を呈することから、被照光領域Ｒは円環状を呈する。
【００３６】
次に、操作部材７０が操作されたときの被照光領域Ｒの形状について、図３及び図５を参照しながら説明する。
【００３７】
図３に示されるように、被照光領域Ｒは、操作部材７０が中立状態のときは前記回転軸を中心とする円環状を呈する。そして、図５に示されるように、操作部材７０が左側へスライド操作されると、導光手段５０も操作部材７０及びスライド部材３０とともに左側へスライドし、かつ、対向面１２ｃは平坦な円環状に形成されているので、被照光領域Ｒは、その円環状の形状を維持しながら左側に変位する。なお、このとき、スライド検出素子１６が押圧される。また、被照光領域Ｒは、操作部材７０が回転操作されたときもその形状を維持する。なお、このとき、操作部材７０の回転角度に応じた回数だけ回転検出素子１７が押圧され、それに合わせてクリックピース３８及び節度山部４３により操作者にクリック感が伝達される。
【００３８】
以上説明したように、本実施形態の照光式操作装置によれば、操作部材７０及びケース１０が遮光性を有するとともに、操作部材７０は、重なり部７３を含んで導光手段５０を覆う形状を有するので、光源１５から出射された光は隙間Ｓを通じてケース１０の外側に漏れるように出射され、これにより、操作部材７０の周囲に間接照明により照光された領域である被照光領域Ｒが形成される。また、導光手段５０はスライド部材３０と一体でスライドし、かつ、対向面１２ｃは、被照光領域Ｒの形状を操作部材７０が前記中立状態及び前記スライド状態のいずれにおいてもスライド方向の両側において同一の形状に維持することが可能な形状を有するので、操作部材７０がスライド操作された場合であっても、被照光領域Ｒの形状が維持される。
【００３９】
また、導光手段５０は、光源１５から出射された光を操作部材７０側へ導く本体部と、この本体部から隙間Ｓに向かって延びる形状を有し本体部から出射された光を重なり部７３と対向面１２ｃとの間に導くガイド部６４とを有するので、導光手段５０から出射された光が隙間Ｓに効率よく導かれる。よって、被照光領域Ｒの輝度が向上される。
【００４０】
さらに、重なり部７３は、ガイド部６４をスライド方向の外側から被覆する被覆部７３ａを有するので、被照光領域Ｒの輝度が向上されつつ、隙間Ｓからガイド部６４における外側の部位、すなわち、被照光領域Ｒよりも輝度の高い部位が操作者に直接視認されるのが防止される。
【００４１】
また、本実施形態の導光手段５０は、スライド部材３０に対して固定される導光部材５１と、この導光部材５１とは別の部材で構成され、かつスライド部材３０に保持された取付部材６１とを有し、導光部材５１は、光源１５から出射された光を受光する受光部５２ａと、この受光部５２ａで受けた光を取付部材６１へ向けて出射する出射部５３ａとを有するので、導光手段５０に入射する光源１５からの光量が安定する。例えば、取付部材６１に取り付けられている操作部材７０がスライド部材に対してがたつくような操作を受けたとしても、この取付部材６１と導光部材５１とは別部材で構成されていることから操作部材７０のがたつきが導光部材５１に伝達されないので、受光部５２ａの光源１５に対する位置が安定的に保持される。
【００４２】
また、本実施形態の光源１５は、上下方向について操作部材７０の中央部と重なる位置に配置されており、導光手段５０の受光面は、操作部材７０が前記中立状態及び前記スライド状態のいずれにおいても光源１５と対向しながら光源１５から出射される光を受光可能な形状を有するので、操作部材７０が前記中立状態及び前記スライド状態のいずれの場合においても受光面が受光する光源１５からの光量が確保され、しかも、光源１５は、上下方向について操作部材７０の中央部と重なる位置に配置されるだけなので、少ない数の光源１５で被照光領域Ｒの輝度が確保される構造が構築される。
【００４３】
さらに、光源１５は、前記回転軸に対してスライド方向の一方側に配置された第一光源１５ａと、前記回転軸に対して前記スライド方向の他方側に配置されており第一光源１５ａと同じ光量の光を出射する第二光源１５ｂとを有し、受光面は、操作部材７０が前記中立状態のときに第一光源１５ａ及び第二光源１５ｂから出射されるそれぞれの光を均一に受光し、かつ、操作部材７０がスライド方向の一方側及び他方側のいずれにスライド操作された場合においても第一光源１５ａ及び第二光源１５ｂから受光するそれぞれの光の光量の合計が等しくなる形状を有するので、二つの光源を用いるだけで、操作部材７０が前記中立状態及び前記スライド状態のいずれにおいても被照光領域Ｒの全域にわたって輝度ムラの発生が防止される。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
例えば、本実施形態では、操作部材７０が被覆部７３ａを有する例について示したが、図７に示されるように、この被覆部７３ａは省略されてもよい。さらに、図８に示されるように、取付部材６１のガイド部６４も省略されてもよい。
【００４６】
また、第一実施形態では、フロントケース１２の対向面１２ｃが平坦に形成されている例を示したが、この対向面１２ｃは、被照光領域Ｒの形状を操作部材７０が前記中立状態及び前記スライド状態のいずれにおいてもスライド方向の両側において同一の形状に維持することが可能な形状であれば、上記形状に限られない。
【００４７】
また、第一実施形態では、操作部材７０がスライド操作及び回転操作を受けることが可能な例を示したが、回転部材４１や回転検出素子１７等が省略され、この操作部材７０がスライド操作のみを受けることが可能な構成であってもよい。
【００４８】
（第二実施形態）
本発明の第二実施形態について、図９を参照しながら説明する。なお、この第二実施形態では、第一実施形態と異なる部分についてのみ説明を行い、第一実施形態と同じ構造、作用及び効果の説明は省略する。
【００４９】
本実施形態では、導光手段５０が単一の部材で構成されている。つまり、導光手段５０は、第一導光部５２及び第二導光部５３を有する本体部と、この本体部とつながっており操作部材７０を取り付けるための取付部とを有する。具体的には、この導光手段５０は、第一実施形態の出射部５３ａと上筒状部６３の内周面とがつなげられることにより単一の部材とされている。
【００５０】
本実施形態の導光手段５０は、操作部材７０の回転とともにスライダー３１に対して相対回転するので、本体部は、スライダー３１に対して相対回転可能となるように当該スライダー３１に保持される。具体的には、本体部は、突出部５４及び被保持部５５を有しておらず、また、案内部３５は、第一導光部５２と接触することなく当該第一導光部５２の周囲を取り囲む筒状を呈する。
【００５１】
以上説明したように、本実施形態の照光式操作装置では、導光手段５０が単一の部材から構成されているので、部品点数が削減されて、組立工数及び製造上の管理コストが低減される。
【符号の説明】
【００５２】
１０    ケース
１１    リアケース
１２    フロントケース
１２ｃ  対向面
１４    回路基板
１５    光源
１５ａ  第一光源
１５ｂ  第二光源
２０    ベース
２１    ベース本体
２５    駆動部材
３０    スライド部材
３１    スライダー
３４    保持部
３５    案内部
４１    回転部材
５０    導光手段
５１    導光部材（本体部）
５２    第一導光部
５２ａ  受光部
５３    第二導光部
５３ａ  出射部
５４    突出部
５５    被保持部
６１    取付部材
６４    ガイド部
７０    操作部材
７３    重なり部
７３ａ  被覆部
Ｓ      隙間
Ｒ      被照光領域
【図１】
2014123511.tif 000003
【図２】
2014123511.tif 000004
【図３】
2014123511.tif 000005
【図４】
2014123511.tif 000006
【図５】
2014123511.tif 000007
【図６】
2014123511.tif 000008
【図７】
2014123511.tif 000009
【図８】
2014123511.tif 000010
【図９】
2014123511.tif 000011